(57)【要約】【課題】周囲光の存在下で区別可能な光を生成するための装置及び方法を提供する。【解決手段】周囲光の存在下で区別可能な光を生成する方法及び装置。本方法は、第１の光キャビティから光を反射するように作動可能に構成された第１の反射体によって少なくとも部分的に形成された第１の光キャビティ内に第１の入光ポートを通じて第１の波長帯域の光を受け入れる段階を伴っている。本方法はまた、第１の光キャビティ内に反射され、かつ第１の入光ポート周りに形成された第１の空間を出入りする周囲光を、第１の波長帯域の外側の周囲光が第１の空間を出入りする時に減衰するように濾過する段階を伴っている。【選択図】図１
2007299759.tif 000002
【特許請求の範囲】
【請求項１】
周囲光の存在下で区別可能な光を生成する方法であって、
第１の光キャビティから光を反射するように作動可能に構成された第１の反射体によって少なくとも部分的に形成された該第１の光キャビティ内へ第１の入光ポートを通じて第１の波長帯域の光を受け入れる段階と、
前記第１の入光ポート周りに形成された第１の空間を出入りする周囲光を、前記第１の波長帯域の外側の周囲光が該第１の空間を出入りする時に減衰するように濾過する段階と、
を含むことを特徴とする方法。
【請求項２】
光を受け入れる段階は、前記空間内の発光ダイオードからの光を受け入れる段階を含むことを特徴とする請求項１に記載の方法。
【請求項３】
濾過する段階は、前記空間内へ反射された周囲光に該空間を形成するフィルタを通過させる段階を含むことを特徴とする請求項１に記載の方法。
【請求項４】
濾過する段階は、前記空間内へ反射された周囲光に該空間を取り囲むフィルタを通過させる段階を含むことを特徴とする請求項１に記載の方法。
【請求項５】
周囲光にフィルタを通過させる段階は、該周囲光に前記反射体と前記入光ポートの間に位置決めされたフィルタを通過させる段階を含むことを特徴とする請求項４に記載の方法。
【請求項６】
周囲光にフィルタを通過させる段階は、前記第１の入光ポート周りに延びる光フィルタ媒体の内面に衝突する周囲光に該媒体を通過させ、かつ該媒体の外面上の反射コーティングによって該媒体を通じてそれを反射させて戻す段階を含むことを特徴とする請求項５に記載の方法。
【請求項７】
周囲光にフィルタを通過させる段階は、該周囲光に前記反射体に対してほぼ補完する形状を有するフィルタを通過させる段階を含むことを特徴とする請求項６に記載の方法。
【請求項８】
周囲光にフィルタを通過させる段階は、該周囲光に前記反射体の表面に接触する表面を有するフィルタを通過させる段階を含むことを特徴とする請求項７に記載の方法。
【請求項９】
周囲光にフィルタを通過させる段階は、該周囲光に前記入光ポートに隣接するフィルタを通過させる段階を含むことを特徴とする請求項５に記載の方法。
【請求項１０】
第２の光キャビティから光を反射するように作動可能に構成された第２の反射体によって少なくとも部分的に形成された該第２の光キャビティ内へ第２の入光ポートを通じて第２の波長帯域の光を受け入れる段階と、
前記第２の光キャビティ内へ反射され、かつ前記第２の入光ポート周りに形成された第２の空間を出入りする周囲光を、前記第２の波長帯域の外側の周囲光が該第２の空間を出入りする時に減衰するように濾過する段階と、
を更に含むことを特徴とする請求項１に記載の方法。
【請求項１１】
前記第１及び第２の波長帯域の光を受け入れる段階は、互いにほぼ同軸に位置決めされた第１及び第２の光キャビティ内へ光を受け入れる段階を含むことを特徴とする請求項１０に記載の方法。
【請求項１２】
周囲光の存在下で区別可能な光を生成するための装置であって、
第１の光キャビティを少なくとも部分的に形成し、かつ該第１の光キャビティから光を反射するように作動可能に構成された第１の反射体と、
第１の波長帯域の光を前記第１の光キャビティ内へ受け入れるように作動可能に構成された第１の入光ポートと、
前記第１の入光ポート周りに形成された第１の空間を出入りする周囲光を、前記第１の波長帯域の外側の周囲光を該第１の空間を出入りする時に減衰させるために濾過するように作動可能に構成された第１のフィルタと、
を含むことを特徴とする装置。
【請求項１３】
前記第１の波長帯域の前記光を前記第１の空間内へ放出するための、前記第１の入光ポート内の第１の発光ダイオードを更に含むことを特徴とする請求項１２に記載の装置。
【請求項１４】
前記第１のフィルタは、前記第１の空間を形成することを特徴とする請求項１２に記載の装置。
【請求項１５】
前記第１のフィルタは、前記第１の空間を取り囲むことを特徴とする請求項１２に記載の装置。
【請求項１６】
前記第１のフィルタは、前記反射体と前記第１の入光ポートの間に位置決めされることを特徴とする請求項１５に記載の装置。
【請求項１７】
前記第１のフィルタは、前記第１の反射体に隣接して位置決めされることを特徴とする請求項１６に記載の装置。
【請求項１８】
前記第１のフィルタは、前記第１の反射体に対してほぼ補完する第１の形状を有することを特徴とする請求項１７に記載の装置。
【請求項１９】
前記第１のフィルタは、前記第１の反射体の表面に接触した第１の表面を有することを特徴とする請求項１８に記載の装置。
【請求項２０】
前記第１のフィルタは、前記第１の入光ポートに隣接して位置決めされることを特徴とする請求項１６に記載の装置。
【請求項２１】
前記第１のフィルタは、第１の光媒体を含むことを特徴とする請求項１２に記載の装置。
【請求項２２】
前記第１のフィルタは、前記第１の入光ポート周りに延びて該第１の入光ポートから全体的に離れる方向に向く第１の外面を有する第１の光フィルタ媒体を含むことを特徴とする請求項１２に記載の装置。
【請求項２３】
前記第１の外面は、ほぼ放物面形状を有することを特徴とする請求項２２に記載の装置。
【請求項２４】
前記第１の反射体は、前記第１の外面上に第１の反射コーティングを含み、そのために前記第１の光フィルタ媒体の内面に衝突する周囲光は、該媒体を通過し、次に、該第１の反射コーティングによって該媒体を通して反射して戻されることを特徴とする請求項２３に記載の装置。
【請求項２５】
前記第１の反射体と同軸に位置決めされ、第２の光キャビティを少なくとも部分的に形成し、かつ該第２の光キャビティから光を反射するように作動可能に構成された第２の反射体と、
第２の波長帯域の光を前記第２の光キャビティ内へ受け入れるように作動可能に構成された第２の入光ポートと、
前記第２の入光ポート周りに形成された第２の空間を出入りする周囲光を、前記第２の波長帯域の外側の周囲光を該第２の空間を出入りする時に減衰させるために濾過するように作動可能に構成された第２のフィルタと、
を更に含むことを特徴とする請求項１２に記載の装置。
【請求項２６】
前記第２の波長帯域の前記光を前記第２の空間内へ放出するための、前記第２の入光ポート内の第２の発光ダイオードを更に含むことを特徴とする請求項２５に記載の装置。
【請求項２７】
前記第２のフィルタは、前記第２の空間を形成することを特徴とする請求項２５に記載の装置。
【請求項２８】
前記第２のフィルタは、前記第２の空間を取り囲むことを特徴とする請求項２５に記載の装置。
【請求項２９】
前記第２のフィルタは、前記第２の反射体と前記第２の入光ポートの間に位置決めされることを特徴とする請求項２８に記載の装置。
【請求項３０】
前記第２のフィルタは、前記第２の入光ポートに隣接して位置決めされることを特徴とする請求項２９に記載の装置。
【請求項３１】
前記第２のフィルタは、第２の光媒体を含むことを特徴とする請求項２５に記載の装置。
【請求項３２】
周囲光の存在下で区別可能な光を生成するための装置であって、
第１の光キャビティを少なくとも部分的に形成して該第１の光キャビティから光を反射するための第１の反射手段と、
第１の波長帯域の光を前記第１の光キャビティ内へ受け入れるための第１の入光手段と、
前記第１の入光手段周りに形成された第１の空間を出入りする周囲光を減衰させるための第１の減衰手段と、
を含むことを特徴とする装置。
【請求項３３】
前記入光させるための手段は、第１の発光ダイオードを含むことを特徴とする請求項３２に記載の装置。
【請求項３４】
前記第１の減衰手段は、前記第１の空間を形成することを特徴とする請求項３３に記載の装置。
【請求項３５】
前記第１の減衰手段は、前記第１の空間を取り囲む第１のフィルタを含むことを特徴とする請求項３４に記載の装置。
【請求項３６】
前記第１のフィルタは、前記第１の反射手段と前記発光ダイオードの間に位置決めされることを特徴とする請求項３５に記載の装置。
【請求項３７】
前記第１の減衰手段は、前記第１の入光手段周りに延びて該第１の入光手段から全体的に離れる方向に向く第１の外面を有する第１の光フィルタ媒体を含むことを特徴とする請求項３６に記載の装置。
【請求項３８】
前記第１の外面は、ほぼ放物面形状を有することを特徴とする請求項３７に記載の装置。
【請求項３９】
前記第１の反射手段は、前記第１の外面上に第１の反射コーティングを含み、そのために前記第１の光フィルタ媒体の内面に衝突する周囲光は、該媒体を通過し、次に、該第１の反射コーティングによって該媒体を通して反射して戻されることを特徴とする請求項３８に記載の装置。
【請求項４０】
前記第１のフィルタは、前記第１の発光ダイオードに隣接して位置決めされることを特徴とする請求項３６に記載の装置。
【請求項４１】
前記第１のフィルタは、第１の光媒体を含むことを特徴とする請求項３５に記載の装置。
【請求項４２】
第２の光キャビティを少なくとも部分的に形成し、かつ該第２の光キャビティから光を反射するように作動可能に構成された第２の反射手段と、
第２の波長帯域の光を前記第２の光キャビティ内へ受け入れるための第２の入光手段と、
前記第２の入光手段周りに形成された第２の空間を出入りする周囲光を減衰させるための第２の減衰手段と、
を更に含むことを特徴とする請求項３２に記載の装置。
【請求項４３】
前記入光させるための第２の手段は、第２の発光ダイオードを含むことを特徴とする請求項４２に記載の装置。
【請求項４４】
前記第２の減衰手段は、前記第２の空間を形成することを特徴とする請求項４３に記載の装置。
【請求項４５】
前記第２の減衰手段は、前記第２の空間を取り囲む第２のフィルタを含むことを特徴とする請求項４４に記載の装置。
【請求項４６】
前記第２のフィルタは、前記第２の反射手段と前記発光ダイオードの間に位置決めされることを特徴とする請求項４５に記載の装置。
【請求項４７】
前記第２のフィルタは、前記第２の発光ダイオードに隣接して位置決めされることを特徴とする請求項４６に記載の装置。
【請求項４８】
前記第２のフィルタは、第２の光媒体を含むことを特徴とする請求項４５に記載の装置。
【発明の詳細な説明】
【技術分野】
【０００１】
本発明は、照明アセンブリに関するものであり、より具体的には、周囲光の存在下で区別可能な光を生成するための装置及び方法に関する。
【背景技術】
【０００２】
高輝度発光ダイオード（ＬＥＤ）は、例えば、自動車信号灯又は尾灯を含む様々な用途においてより頻繁に使用されている。ＬＥＤは、いかなる付加的な有色フィルタもなしに有色光を直接に放出し、それによって自動車設計者は、従来の設計よりも美観的に魅力的になる傾向がある透明外側レンズ及び反射体で信号灯設計を案出することができる。残念ながら、信号灯設計において透明外側レンズと反射体を使用すると、昼間の視認性が劣る可能性がある。これは、太陽からの光は、信号灯ハウジングに入って、殆ど又は全く損失なく反射される可能性があるからである。この光は、ＬＥＤ信号光源からの光と混合し、外部の観察者には、この混合光は、彩度が低く又は「色あせた」ように見え、従って可視性が低下する。他の運転者は、この問題のために信号灯が見えにくい恐れがあり、それによって交通上の危険をもたらす可能性がある。
【発明の開示】
【発明が解決しようとする課題】
【０００３】
信号灯の昼間の視認性を改善する典型的な方法は、有色外部レンズの使用、外側レンズ上の光学構造体、又は艶消し又は構造化外側レンズ又は反射体の使用を伴っている。これらの方法の各々は、効果には限界があり、自動車設計者には抵抗のある方法で信号灯の外観を著しく変えるものである。
【課題を解決するための手段】
【０００４】
本発明の１つの態様により、周囲光の存在下で区別可能な光を生成する方法を提供する。本方法は、第１の光キャビティから光を反射するように作動可能に構成された第１の反射体によって少なくとも部分的に形成された第１の光キャビティ内に第１の入光ポートを通じて第１の波長帯域の光を受け入れる段階を伴っている。本方法はまた、第１の入光ポート周りに形成された第１の空間を出入りする周囲光を、第１の波長帯域の外側の周囲光が第１の空間を出入りする時に減衰するように濾過する段階を伴っている。
【０００５】
光を受け入れる段階は、空間内の発光ダイオードからの光を受け入れる段階を伴うことができる。
濾過する段階は、空間内へ反射された周囲光に空間を形成するフィルタを通過させる段階を伴うことができる。
濾過する段階は、空間内へ反射された周囲光に空間を取り囲むフィルタを通過させる段階を伴うことができる。
【０００６】
周囲光にフィルタを通過させる段階は、周囲光に反射体と入光ポートの間に位置決めされたフィルタを通過させる段階を伴うことができる。
周囲光にフィルタを通過させる段階は、第１の入光ポート周りに延びる光フィルタ媒体の内面に衝突する周囲光に媒体を通過させ、かつ媒体の外面上の反射コーティングによって媒体を通じて反射させて戻す段階を伴うことができる。
周囲光にフィルタを通過させる段階は、周囲光に反射体に対してほぼ補完する形状を有するフィルタを通過させる段階を伴うことができる。
周囲光にフィルタを通過させる段階は、周囲光に反射体の表面に接触する表面を有するフィルタを通過させる段階を伴うことができる。
周囲光にフィルタを通過させる段階は、周囲光に入光ポートに隣接するフィルタを通過させる段階を伴うことができる。
【０００７】
本方法は、第２の光キャビティから光を反射するように作動可能に構成された第２の反射体によって少なくとも部分的に形成された第２の光キャビティ内へ第２の入光ポートを通して第２の波長帯域の光を受け入れる段階と、第２の光キャビティ内へ反射されて第２の入光ポート周りに形成された第２の空間を出入りする周囲光を、第２の波長帯域の外側の周囲光が第２の空間を出入りする時に減衰するように濾過する段階とを更に伴うことができる。
第１及び第２の波長帯域の周囲光を受け入れる段階は、互いにほぼ同軸に位置決めされた第１及び第２の光キャビティ内へ光を受け入れる段階を伴うことができる。
【０００８】
本発明の別の態様により、周囲光の存在下で区別可能な光を生成するための装置を提供する。装置は、第１の光キャビティから光を反射するように作動可能に構成された、第１の光キャビティを少なくとも部分的に形成する第１の反射体と、第１の波長帯域の光を第１の光キャビティ内へ受け入れるように作動可能に構成された第１の入光ポートと、第１の入光ポート周りに形成された第１の空間を出入りする周囲光を、第１の波長帯域の外側の周囲光を第１の空間を出入りする時に減衰させるために濾過するように作動可能に構成された第１のフィルタとを含む。
装置は、第１の波長帯域の光を第１の空間内へ光を放出するための第１の入光ポート内の第１の発光ダイオードを更に含むことができる。
【０００９】
第１のフィルタは、第１の空間を形成することができる。
第１のフィルタは、第１の空間を取り囲むことができる。
第１のフィルタは、反射体と第１の入光ポートの間に位置決めすることができる。
第１のフィルタは、第１の反射体に隣接して位置決めすることができる。
第１のフィルタは、第１の反射体に対してほぼ補完する第１の形状を有することができる。
第１のフィルタは、第１の反射体の表面に接触する第１の表面を有することができる。
【００１０】
第１のフィルタは、第１の入光ポートに隣接して位置決めすることができる。
第１のフィルタは、第１の光媒体を含むことができる。
第１のフィルタは、第１の入光ポート周りに延びて第１の入光ポートからほぼ離れる方向に向いた第１の外面を有する第１の光フィルタ媒体を含むことができる。
第１の外面は、ほぼ放物面形状を有することができる。
第１の反射体は、第１の光フィルタ媒体の内面に衝突する周囲光が媒体を通過し、次に第１の反射コーティングによって媒体を通って反射して戻るように、第１の外面上に第１の反射コーティングを含むことができる。
【００１１】
装置は、第１の反射体と同軸に位置決めされ、第２の光キャビティを少なくとも部分的に形成し、かつ第２の光キャビティから光を反射するように作動可能に構成された第２の反射体と、第２の波長帯域の光を第２の光キャビティ内へ受け入れるように作動可能に構成された第２の入光ポートと、第２の入光ポート周りに形成された第２の空間を出入りする周囲光を、第２の波長帯域の外側の周囲光を第２の空間を出入りする時に減衰させるために濾過するように作動可能に構成された第２のフィルタとを更に含むことができる。
装置は、第２の波長帯域の光を第２の空間内へ放出するための第２の入光ポート内の第２の発光ダイオードを更に含むことができる。
【００１２】
第２のフィルタは、第２の空間を形成することができる。
第２のフィルタは、第２の空間を取り囲むことができる。
第２のフィルタは、第２の反射体と第２の入光ポートの間に位置決めすることができる。
第２のフィルタは、第２の入光ポートに隣接して位置決めすることができる。
第２のフィルタは、第２の光媒体を含むことができる。
本発明の他の態様及び特徴は、添付図面と共に本発明の特定的な実施形態の以下の説明を考察すると当業者には明らかになるであろう。
図面は、本発明の実施形態を例示している。
【発明を実施するための最良の形態】
【００１３】
図１を参照すると、本発明の第１の実施形態による周囲光の存在下で区別可能な光を生成する照明装置を全体的に１０で示している。装置１０は、第１の光キャビティ１４を形成する１２で全体的に示す第１の反射体を含む。光キャビティには、第１の入光ポート１６が配置され、第１の波長帯域の光を第１の光キャビティへ受け入れる。第１の入光ポート１６に隣接して第１のフィルタ１８が配置され、第１の入光ポート周りに形成された第１の空間２０を出入りする周囲光を、第１の波長帯域の外側の周囲光が第１の空間を出入りする時に減衰するように濾過する。周囲光は、例えば、第１の反射体１２によって第１の光キャビティ１４内へ反射させることができる。
【００１４】
図示の実施形態では、装置１０は、車両の尾灯／停止灯組合せ用のような後部組合せ灯の役目をする自動車照明アセンブリの一部である。この実施形態では、装置１０は、アセンブリを車両に取り付ける平坦なプラスチック基部２４とネジ付きボスとを有する２２で全体的に示す一体化プラスチック取付アセンブリを含む信号灯アセンブリを含み、平坦なプラスチック基部２４とネジ付きボスの一方を２６で示している。また、アセンブリ２２は、第１の反射体１２の役目をするアルミ合金のような反射コーティングが被覆された表面を有する先端切断放物面形状壁２８を有する。放物面形状壁２８は、平坦な基部２４から延びて軸線２７を中心にしてほぼ対称形である。平坦な基部２４は、放物形状壁２８上のものと類似又は同じである反射コーティングが被覆されたアルミ合金のようなほぼ円形状の反射面２５を有する。
【００１５】
この実施形態では、第１の入光ポート１６は、第１の有色光光源３１と協働する細長い開口部を含み、第１の有色光光源３１は、この実施形態では第１の波長帯域において有色光を放出する複数の有色発光ダイオードを含む。アセンブリが欧州車において使用された場合、有色発光ダイオードは、約５７５ｎｍと６２５ｎｍの間の波長を有する琥珀色有色光を放出する琥珀色ＬＥＤを含むことができ、更に又は代替的に、約６００ｎｍから約６５０ｎｍの間の波長を有する光を放出する赤色ＬＥＤを含むことができる。従って、第１の波長帯域は、例えば、琥珀色及び／又は赤色ＬＥＤが使用される約５７５ｎｍ又はそれを超える波長を含む帯域、又は赤色ＬＥＤのみが使用される少なくとも約６００ｎｍ又はそれを超える波長を含む帯域として定義することができる。
【００１６】
図示の実施形態では、有色光光源の有色発光ダイオードは、基部２４の中心にほぼ直線的に配置され、軸線２７にほぼ平行な方向に光を放出するように配向される。
図示の実施形態では、第１のフィルタ１８は、第１の空間に入る光が光フィルタ媒体を通過しなければならないように、第１の空間２０を形成するアクリル酸プラスチックのような光フィルタ媒体を含む円筒形壁を含む。光フィルタ媒体は、第１の波長帯域内に波長を有する光がほぼ非減衰状態で通過し、かつ第１の波長帯域の外側に波長を有する光を減衰することを一般的に可能にする特性を有する。第１のフィルタ１８は、図２において４３で示すようなフィルタ特性を有するフィルタとすることができ、その場合、長い波長（すなわち、より高い％透過率係数を有する）をフィルタが通し、短い波長（すなわち、より低い％透過率係数を有する）が減衰される。第１のフィルタ１８が、琥珀色光スペクトル４７の波長よりも短い遮断波長を有することを示すために、琥珀色と赤色光のＬＥＤの光スペクトル４７及び４８が、それぞれ、フィルタ特性４３上に重ね合わせられている。
【００１７】
本明細書を車両用尾灯アセンブリの一部として説明するが、他の用途においては、異なる有色ＬＥＤを使用することができ、従って、このようなＬＥＤによって生成された有色光よりも短い波長を有する光を減衰する特性を有するフィルタが採用されることになることが認められるであろう。
再び図１を参照すると、平坦な基部２４は、突出部を有し、その２つのみが３０及び３２で示されているが、軸線２７にほぼ平行に基部２４から突出している。突出部３０及び３２は、この実施形態では、第１の反射体１２と同軸に位置決めされ、かつ第２の光キャビティ５２を形成して第２の光キャビティから光を反射させる第２の反射体３６を有する全体的に３４で示す停止灯アセンブリの取り付けを容易にする役目をする。停止灯アセンブリ３４は、第２の波長帯域の光を第２の光キャビティ５２内へ受け入れるように作動可能に構成された第２の入光ポート３８を更に含む。停止灯アセンブリ３４は、第２の波長帯域の外側の周囲光が第２の空間を出入りする時に減衰するように、第２の入光ポート３８周りに形成された第２の空間５０を出入りする周囲光を濾過するように作動可能に構成された第２のフィルタ４０を更に含む。
【００１８】
停止灯アセンブリ３４は、停止灯アセンブリ３４が突出部３０及び３２に取り付けられた時に反射面２５に隣接してかつ離間した関係で位置決めされる下部反射面４４と先端切断円錐反射面４６とを含む下側３５を有する第２の基部４２を有する一体化プラスチック部材から成る。下部反射面４４及び先端切断円錐反射面４６は、更に、第１の光キャビティ１４を形成する。従って、第１の光キャビティ１４は、この実施形態では、更に、反射面２５と、放物反射面２９と、下部反射面４４と、先端切断円錐反射面４６との間に形成される。
また、第２の基部４２は、平坦な円形反射面４９を有する。第２の反射体３６は、第２の基部４２から離れて延び、かつ第２の放物反射面３９を有する一体化壁４１を含む。第２の放物反射面３９及び平坦な円形反射面４９は、更に、第２の光キャビティ５２を形成する。
【００１９】
この実施形態では、第２の入光ポート３８は、第２の波長帯域の有色光を放出する有色発光ダイオードを含む第２の有色光光源５１と協働する第２の基部内の細長い開口部を含む。有色発光ダイオードは、例えば、約６００ｎｍから約６５０ｎｍの間の波長を有する赤色光を放出することができる。第２の波長帯域は、この実施形態では、例えば、少なくとも約６００ｎｍの波長を含む帯域と定めることができる。あるいは、第２の波長帯域は、第１の波長帯域、すなわち、５７５ｎｍ又はそれを超える帯域と同じとすることができる。
第１及び第２のほぼ放物面の反射面２９及び３９及び第１及び第２のフィルタ１８及び４０は、互いにほぼ同軸である。第１及び第２の光源３１及び５１は、軸線２７と平行な方向に光を全体的に導くように配向される。
【００２０】
図示の実施形態では、第２のフィルタ４０は、第２の空間に入る光が光フィルタ媒体を通過しなければならないように、第２の空間５０を形成するアクリル酸プラスチックのような光フィルタ媒体を含む円筒形壁を含む。光フィルタ媒体は、第２の波長帯域内の波長を有する光がほぼ非減衰状態で通過し、かつ第１の波長帯域の外側に波長を有する光を減衰させることを一般的に可能にする特性を有する。一般的に、第２のフィルタ４０は、第２の入光ポート３８を取り囲む。
【００２１】
作動
作動面では、第１の有色光光源３１からの光は、第１のフィルタ１８を通して第１の反射体１２の放物反射面２９に当てるために、第１の光キャビティ１４内に入れられ、下部反射面４４と、反射面２５と、先端切断円錐反射面４６とによって反射される。放物反射面２９は、第１の有色光をアセンブリから離れる軸線方向に全体的に導く。枕状表面をほぼ放物面の反射面２９上に形成して、光を広い角度にわたって見えるようにすることができる。
第１のフィルタ１８は、第１の有色光光源３１によって生成された琥珀色光又は赤色光に対して殆ど減衰を行わず、従って、第１の有色光が第１のフィルタを通過して第１の光キャビティ１４を出る時には強度の損失は最小限のものである。
【００２２】
日光のような琥珀色光は、第１の光キャビティ１４に入ってほぼ放物面の反射面２９に衝突することができ、そこでは、琥珀色光の一部は、反射されて第１のフィルタ１８を通過して停止灯アセンブリ３４の下側３５と反射面２５の間の第１の空間２０内へ入ることができる。日光のような琥珀色光は、第１の空間２０に入ると、下部反射面４４と、先端切断円錐反射面４６と、反射面２５とによって反射されて、第１のフィルタ１８を通ってほぼ放物面の反射面２９の別の部分へと導かれ、軸線方向に第１の光キャビティ１４を出ることができる。琥珀色光が日光である場合、波長の完全なスペクトルを有し、その大部分は、第１のフィルタ１８によって減衰される。従って、日光が第１のフィルタ１８の第１の部分を通過すると減衰され、次に、第１の空間２０において反射され、次に、ほぼ放物面の反射面２９の他方の部分に衝突する前に、第１のフィルタ１８の別の部分を通過する時に更に減衰される。従って、第１の光キャビティ１４に入る日光は、第１のフィルタ１８の２つの部分を通過し、従って、第１の光キャビティ１４を出る前に２回減衰される。第１のフィルタ１８のそれぞれの部分を毎回通過する間に、琥珀色光は、第１のフィルタによって減衰され、従って、第１のフィルタがない場合よりも見えにくい。第１の有色光光源３１によって生成された第１の有色光は、第１のフィルタ１８を通過するのは一回だけであり、かつ第１のフィルタによって減衰されるのは僅かに微量であるので、第１の光キャビティ１４から反射される琥珀色光よりも著しく明るく見える。従って、第１の光キャビティ１４を出る第１の有色光は、光キャビティを出ると同時に琥珀色光と区別可能である。
【００２３】
停止灯アセンブリ３４は、第２の放物反射面３９に入射して第２の反射面の反対の部分に向けて導かれた琥珀色光は、第２のフィルタ４０を通過し、境界のある第２の空間５０に入って出ると、第２のフィルタ４０を通って第２の反射面の反対の部分に当たり、そこで、ほぼ軸線方向に導かれてアセンブリから離れるという点において同様に作動する。同時に、第２の空間５０内の第２の有色光光源５１からの赤色光は、第２の反射面３９に衝突し、そこで停止灯アセンブリから離れる方向にほぼ軸線方向に導かれる前には、第２のフィルタ４０を通過するのは一回だけであり、第２のフィルタによる減衰は、最小限であるか又は皆無である。停止灯アセンブリ３４から離れるように導かれる有色光は、上述のように反射された反射周囲光と混ぜ合わせることができるが、第２のフィルタ４０の２つの部分の通過及び各通過での付随の減衰のために、反射琥珀色光の強度は低減され、それによって第２の有色光光源５１によって生成され、かつ第２の反射面３９によって反射された光よりも一般的に見えにくく、第２の光源によって生成された光の方が、反射琥珀色光の存在下では見えやすい。
【００２４】
図３を参照すると、本発明の第２の実施形態による装置を全体的に６０で示している。装置は、第１の反射体６２と、第１の入光ポート６４と、第１のフィルタ６６とを有する。この実施形態では、第１の反射体６２は、反射コーティング７０が被覆された放物面６８を有し、かつ焦点７２を有する本体で形成される。第１の入光ポート６４は、放物面６８のほぼ焦点７２に位置し、主発光軸が全体的に反射体６２から離れるように１つ又はそれよりも多くのＬＥＤ７６を取り付けることができるＬＥＤマウント７４を含む。図示の実施形態では、ＬＥＤ７６が１つだけあり、約６５０ｎｍの波長を有する赤色光を放出する。
【００２５】
第１のフィルタ６６は、反射体の放物面に隣接してぴったり適合し、かつそれに接触するように反射体６２の放物面６８に対して補完的な放物面形状の外面７８を有する放物面形状のプラスチック色レンズを含む光フィルタ媒体で形成される。透明接着剤（図示せず）を使用して、レンズの外面７８を外面が全体的に第１の入光ポートから離れる方向に向くように反射体６２の放物面６８に機械的に結合することができる。レンズは、光キャビティに向けて全体的に内方に向く反射体６２の放物面６８と類似の同じく形状がほぼ放物面である内面８０を有する。
すなわち、第１の光キャビティ８２は、反射体６２の放物面６８によって形成され、第１のフィルタ６６は、第１の光キャビティ８２内にあり、第１の入光ポート６４周りに第１の空間８４を形成する。この実施形態では、第１の空間８４は、従って、第１の光キャビティ８２とほぼ同じサイズである。
【００２６】
ＬＥＤ７６によって供給され、かつ第１の空間８４に受け入れられた軸上の光８１及び一部の軸外の光８３は、第１の空間を通過すると、反射体６２に衝突することなく直接に第１の光キャビティ８２を出る。反射体６２に入射させる角度にある軸外の光８５は、反射体に衝突する前に第１のフィルタ６６を通過し、次に、第１の空間８４を出る前に第１のフィルタを再び通過する。しかし、第１のフィルタ６６は、反射体６２によって反射される第１の入光ポート６４からの光の強度の損失が殆どないように通過帯域内の波長を有する光がほぼ非減衰状態で通過することを可能にする図２において８６で示すような波長通過帯域を有する。
【００２７】
第１の光キャビティ８２の外側から反射体６２に入射する周囲光を反射体によって第１の空間８４内に反射させることはできるが、このような光は、光キャビティに入る時又は光キャビティを出る時に第１のフィルタ６６を通過すべきである。周囲光が第１のフィルタ６６を通過すると、第１のフィルタの第１の通過帯域８６の外側の波長を有する周囲光の成分が減衰される。再び図３を参照すると、周囲光は、第１のフィルタ６６の第１の部分９０を通過すると、反射体６２の第１の部分９１に当たり、次に、第１のフィルタの第２の部分９２を通過した後に第１の空間８４に入る。この光は、第１のフィルタ６６の第３の部分９４を通過するまでほぼ非減衰状態で第１の空間８４を通り、反射体６２の第２の部分９６に衝突すると、第１のフィルタ６６の第４の部分９８を通過して、最後に光キャビティ８２を出る。それによって光キャビティ８２に導かれる周囲光の濾過が複数回行われ、光キャビティに入る大部分の周囲光は、光キャビティを出る前に著しく減衰され、同時に反射体６２に衝突する軸外の光を含む入光ポート６４を通じて光キャビティに入る大部分の光は、殆ど減衰なしに光キャビティから出る結果になる。従って、ＬＥＤ７６によって生成された光は、周囲光内で消え去らず、一般的に周囲光と区別可能である。
【００２８】
図４を参照すると、全体的に１００で本発明の第３の実施形態による装置を示している。この実施形態の構成要素の全ては、反射体（図３では６２）の代わりに第１のフィルタ６６の放物面形状の外面７８上の反射コーティング１０２が使用される点を除き、全体的に図３に示すものと同じものである。装置は、第１の光学フィルタの内面８０に衝突する周囲光がフィルタを通過し、次にフィルタの外面７８上の反射コーティングによって再び反射されてフィルタを通る点を除き、図３に示す実施形態に関連して上述したように機能する。
図４に示す実施形態は、反射体に関して別の構造体が使用されないので、図３に示す実施形態よりも製造費を低減することができる。
本発明の特定的な実施形態を説明して示したが、このような実施形態は、本発明を単に例示するものであり、特許請求の範囲に従って解釈される本発明を限定しないと考えるべきである。
【図面の簡単な説明】
【００２９】
【図１】本発明の第１の実施形態による照明装置の切取斜視図である。
【図２】図１に示す第１及び／又は第２のフィルタのフィルタ特性を示す％透過率と波長のグラフである。
【図３】本発明の第２の実施形態による照明装置の断面図である。
【図４】本発明の第３の実施形態による照明装置の断面図である。
【符号の説明】
【００３０】
１０  照明装置
１２  第１の反射体
１４  第１の光キャビティ
１６  第１の入光ポート
１８  第１のフィルタ
２０  第１の空間
【図１】
2007299759.tif 000003
【図２】
2007299759.tif 000004
【図３】
2007299759.tif 000005
【図４】
2007299759.tif 000006
【外国語明細書】
2007299759.tif 000007
2007299759.tif 000008
2007299759.tif 000009
2007299759.tif 000010
2007299759.tif 000011
2007299759.tif 000012
2007299759.tif 000013
2007299759.tif 000014
2007299759.tif 000015
2007299759.tif 000016
2007299759.tif 000017
2007299759.tif 000018
2007299759.tif 000019
2007299759.tif 000020
2007299759.tif 000021
2007299759.tif 000022
2007299759.tif 000023
2007299759.tif 000024
2007299759.tif 000025
2007299759.tif 000026
2007299759.tif 000027
2007299759.tif 000028
2007299759.tif 000029
2007299759.tif 000030
2007299759.tif 000031
2007299759.tif 000032
2007299759.tif 000033